【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
移動体の表面状態を検知する反射型光学センサであって、
複数の発光部を有する複数の照射系と、
前記複数の照射系に対応する複数の照射用レンズと、を有し、前記照射系から射出された光を前記移動体に導く照射光学系と、
複数の受光部を有する受光系と、
前記複数の受光部に対応し、前記移動体で反射された光を前記受光系に導く受光用レンズを有する受光光学系と、
を有し、
前記複数の照射用レンズは当該複数の照射用レンズの各光軸位置が、前記複数の受光部のうちの任意の２つの受光部の間となるように配置されたことを特徴とする反射型光学センサ。
【請求項２】
前記複数の照射系のうち、隣接する第１の照射系と第２の照射系は、
前記第１の照射系が有する発光部のうち最も第２の照射系側に位置する発光部と、前記第２の照射系が有する発光部のうち最も第１の照射系側に位置する発光部との間隔が、
前記第１の照射系が有する複数の発光部の配列間隔よりも大きくなるように配置されていることを特徴とする請求項１に記載の反射型光学センサ。
【請求項３】
前記受光用レンズは、光を一軸方向にのみ集束させるシリンドリカルレンズであることを特徴とする請求項１または請求項２に記載の反射型光学センサ。
【請求項４】
前記照射光学系を構成する照射用レンズと、前記受光光学系を構成する受光用レンズとが、一体に形成されたことを特徴とする請求項１ないし請求項３の何れか１項に記載の反射型光学センサ。
【請求項５】
前記各照射系と前記照射光学系との間に遮光部を設けたことを特徴とする請求項１ないし請求項４の何れか１項に記載の反射型光学センサ。
【請求項６】
複数の光スポットを順次に照射することを特徴とする請求項１ないし請求項５の何れか１項に記載の反射型光学センサ。
【請求項７】
複数の光スポットを同時に照射することを特徴とする請求項１ないし請求項５の何れか１項に記載の反射型光学センサ。
【請求項８】
前記複数の照射系の配列方向に対して、任意の傾きを持って複数の光スポットを照射することを特徴とする請求項１ないし請求項７の何れか１項に記載の反射型光学センサ。
【請求項９】
回転する定着部材と、
前記定着部材の外周面と当接し、通過する記録媒体上の未定着トナーを該記録媒体に定着させるニップ部を形成する加圧部材と、
前記定着部材を加熱する加熱手段と、を有する定着装置を有する画像形成装置であって、
前記定着部材の表面情報を検出する請求項１〜８のいずれか１項に記載の反射型光学センサと、を有し、
前記反射型光学センサは、前記定着部材の外周面に対し、当該定着部材の回転移動方向に交わる方向に複数の光スポットを照射するように配置されていることを特徴とする画像形成装置。
【請求項１０】
前記反射型光学センサを、
少なくとも前記記録媒体の端部位置に配置したことを特徴とする請求項９に記載の画像形成装置。
【請求項１１】
前記移動体は、定着ベルトであることを特徴とする請求項９または請求項１０に記載の画像形成装置。
【手続補正２】
【補正対象書類名】明細書
【補正対象項目名】０００６
【補正方法】変更
【補正の内容】
【０００６】
本発明は、移動体の表面状態を検知する反射型光学センサであって、
複数の発光部を有する複数の照射系と、
前記複数の照射系に対応する複数の照射用レンズと、を有し、前記照射系から射出された光を前記移動体に導く照射光学系と、
複数の受光部を有する受光系と、
前記複数の受光部に対応し、前記移動体で反射された光を前記受光系に導く受光用レンズを有する受光光学系と、
を有し、
前記複数の照射用レンズは当該複数の照射用レンズの各光軸位置が、前記複数の受光部のうちの任意の２つの受光部の間となるように配置されたことを特徴としている。
【手続補正３】
【補正対象書類名】明細書
【補正対象項目名】０００８
【補正方法】変更
【補正の内容】
【０００８】
即ち、複数の発光部からの光の各反射光を、複数の受光部で受光して互いに比較することにより、移動体の幅方向の各位置における表面状態をより高精度に検知することが可能となる。例えば、移動体の実際の傷の有無や、その傷の位置や、傷の深さや、傷の幅などの正確な状況を詳細に検知することが可能となる。
また、複数の照射用レンズは当該複数の照射用レンズの各光軸位置が、複数の受光部のうちの任意の２つの受光部の間となるように配置されたことにより、移動体の移動方向回りの回転角（スキュー角）の変動に起因する受光部の出力変動を抑えて安定化させることができる。
【手続補正４】
【補正対象書類名】明細書
【補正対象項目名】００３４
【補正方法】変更
【補正の内容】
【００３４】
この定着装置２６は、定着ローラ３１と、この定着ローラ３１に対向する加圧体（加圧部材）としての加圧ローラ３２と、内部に熱源Ｈを有する加熱ローラ３３（加熱手段）と、この加熱ローラ３３と定着ローラ３１との間に掛け回された移動体としての定着ベルト３５などの定着部材（または定着体）と、を有している。
【手続補正５】
【補正対象書類名】明細書
【補正対象項目名】００５６
【補正方法】変更
【補正の内容】
【００５６】
そして、図１０Ａ〜図１０Ｄに示すように、この反射型光学センサ４２は、複数の発光部５２を有する複数の照射系と、上記複数の照射系に対応する複数の照射用レンズ５８と、を有し、上記照射系から射出された光４５を上記移動体に導く照射光学系５３（図５Ａ参照）と、複数の受光部５５を有する受光系と、上記複数の受光部５５に対応し、上記移動体で反射された光（反射光４７）を上記受光系に導く受光用レンズ６１を有する受光光学系５６（図５Ａ参照）と、を有するものとされる。
【手続補正６】
【補正対象書類名】明細書
【補正対象項目名】００６０
【補正方法】変更
【補正の内容】
【００６０】
そして、図１１Ａ〜図１１Ｄに示すように、複数の照射用レンズ５８は、当該複数の照射用レンズ５８の各光軸位置（光軸５９）が、上記複数の受光部５５のうちの任意の２つの受光部５５の間となるように配置させるようにしても良い。
この際、上記複数の照射系のうち、隣接する第１の照射系と第２の照射系は、上記第１の照射系が有する発光部５２のうち最も第２の照射系側に位置する発光部５２と、上記第２の照射系が有する発光部５２のうち最も第１の照射系側に位置する発光部５２との間隔が、上記第１の照射系が有する複数の発光部５２の配列間隔よりも大きくなるように配置されても良い。
【手続補正７】
【補正対象書類名】明細書
【補正対象項目名】００７５
【補正方法】変更
【補正の内容】
【００７５】
そして、回転する定着部材（定着ベルト３５など）と、上記定着部材の外周面と当接し、通過する記録媒体Ｓ上の未定着トナーを記録媒体Ｓに定着させるニップ部を形成する加圧部材（加圧ローラ３２など）と、上記定着部材を加熱する加熱手段（加熱ローラ３３など）と、を有する定着装置２６を有する画像形成装置１に対し、上記定着部材の表面情報を検出する上記反射型光学センサ４２と、を有し、上記反射型光学センサ４２は、上記定着部材の外周面に対し、当該定着部材の回転移動方向に交わる方向に複数の光スポット４６を照射するように配置されても良い。
【手続補正８】
【補正対象書類名】明細書
【補正対象項目名】００７７
【補正方法】変更
【補正の内容】
【００７７】
また、上記した画像形成装置１に対し、上記反射型光学センサ４２を、図１７Ａ〜図１７Ｃ、或いは、図１８に示すように、少なくとも上記記録媒体Ｓの端部位置に配置するようにしても良い。
【手続補正９】
【補正対象書類名】明細書
【補正対象項目名】００９９
【補正方法】変更
【補正の内容】
【００９９】
この場合、遮光部６５は、枠状のセンサ本体６４に形成された遮光壁や、厚板状のセンサ本体６４に形成された開口部（の周壁）などとすることができる。
【手続補正１０】
【補正対象書類名】明細書
【補正対象項目名】０１０２
【補正方法】変更
【補正の内容】
【０１０２】
上記した受光用レンズ６１は、幅方向ｘに対して（レンズ）パワーを持たないものとされる。
【手続補正１１】
【補正対象書類名】明細書
【補正対象項目名】０１７４
【補正方法】変更
【補正の内容】
【０１７４】
そして、図１０Ｄでは、発光部５２は、１つの照射ユニット７５の内部においては幅方向ｘに対し僅少な配列ピッチＰａで整列され、隣接する照射ユニット７５との間では幅方向ｘに対し配列ピッチＰ'ａで整列されている。
【手続補正１２】
【補正対象書類名】明細書
【補正対象項目名】０１９２
【補正方法】変更
【補正の内容】
【０１９２】
図１１Ｅ〜図１１Ｈに、上記実施例の反射型光学センサ４２ａと、この実施例の反射型光学センサ４２ｂとを用いて、被検物である定着ベルト３５（移動体）に、スキュー角Ｂを単独に０.２５ｄｅｇ刻みで０ｄｅｇ〜±１.０ｄｅｇまで印加した場合の受光部５５の出力変動の様子を示す。ここで、スキュー角Ｂとは、定着ベルト３５の、上記した移動方向ｙを中心とする回転角のことである。